(57)【要約】【課題】  高圧交流電力線から、非接触で必要電力を得て電力線の電流の計測・電力線まわりの機器の状態を監視する監視回路等を作動させ、必要電力を常時電池レスで給電できるようにする。及び電力線の大電流に影響を受けず、又コロナ放電・鳥・虫・雨水等から防いで耐久性を高める。【解決手段】  中央部を大きく開口した断面Ｕ字状の環状金属筐体１とこれにゴム層３１を介して蓋体３を嵌合した耐候性誘導コイル収納器Ｙ内に環状コア２１に電圧コイルを電流コイルを巻回した誘導コイル２を封入し、同誘導コイル２の電圧コイルの交流起電圧を収納器Ｙと連結した密閉容器５内の半導体回路６の整流回路を用いた直流電源部６２へ入力し、同電源部から各回路に５Ｖの電圧を給電する。【選択図】図６
2017220983.tif 000002
【特許請求の範囲】
【請求項１】
透磁性があり且つ良導電性の金属によって製作された断面Ｕ字状の環状金属筐体の内部に環状コアにコイルを巻回した起電圧発生用誘導コイルを配装し、同金属筐体の前記開口の口縁に電気絶縁体を介して良電導性金属製蓋体を嵌着して密閉型の耐候性誘導コイル収納器を形成し、同耐候性誘導コイル収納器の中央開口空間に交流電力の送電線の線路を貫通させ、前記耐候性誘導コイル収納器内に又はそれに良導電性の金属取付板で連接された別体の密閉金属容器内に子機半導体回路を封入し、同子機半導体回路として前記起電圧発生用誘導コイルに発生する電圧を整流して所要電圧の直流電力を生成する直流電源部と、前記直流電源部の直流電圧を使用して送電線まわりの機器の状態を監視するセンサー回路あるいはカメラ装置の電気信号を処理するカメラ制御画像処理回路の監視回路と、前記直流電源部又は監視回路の制御信号及びそれらからの情報を電波でこれらを管理する親機又は同親機と電波中継する電波中継装置と送受信する電波通信部とを内蔵した、電力線の線路監視装置。
【請求項２】
前記環状コアにコイルを巻回した前記送電線の線路の電流を検出できる電流検出用誘導コイルを前記起電圧発生用誘導コイルとは別に設け、前記環状コアに前記起電圧発生用誘導コイル及び電流検出用誘導コイルとを巻回した状態で断面Ｕ字状の前記環状金属筐体内に配装するとともに、電流検出用誘導コイルに流れる電流値を検出して、その出力から送電線の線路に流れる電流値を算出する電流計測回路を子機半導体回路の監視回路の一つとして設けた、請求項１記載の電力線の線路監視装置。
【請求項３】
前記直流電源部で出力した直流電圧に過電圧保護回路を設け、過大な直流電圧を子機半導体回路に印加しないようにした、請求項１又は２記載の電力線の線路監視装置。
【請求項４】
交流電力の送電線の碍子先端部に設けられた送電線の線路の大気に露出した接続電極板に、導電性金属を用いて前記耐候性誘導コイル収納器及び子機半導体回路を封入した前記密閉金属容器とを連結支持した、請求項１〜３いずれか記載の電力線の線路監視装置。
【請求項５】
前記センサー回路として、交流電力の送電線の前記接続電極板の温度を計測する温度センサー回路を有する、請求項４記載の電力線の線路監視装置。
【請求項６】
前記電波通信部のアンテナが前記密閉金属容器の外側から地表に向けて延びたアンテナである、請求項１〜５いずれか記載の電力線の線路監視装置。
【請求項７】
前記金属筐体及び蓋体の外形状が角のない丸味を帯びた外形状としてコロナ放電を少なくした、請求項１〜６いずれか記載の電力線の線路監視装置。
【請求項８】
密閉金属容器内の子機半導体回路が、密閉金属容器内に設けたポリカーボネート製筐体の内部に配置されたものである、請求項１〜７いずれか記載の電力線の線路監視装置。
【請求項９】
前記請求項１〜８いずれか記載の電力線の線路監視装置を、三相高圧電力線の変電所の開閉器の線路に複数取付け、前記線路監視装置の各電波通信部と電波で双方向通信できる親機を変電所内に設けた、変圧所内の線路監視設備。
【発明の詳細な説明】
【技術分野】
【０００１】
本発明は、高圧交流電力線における電力線の電流値・線路まわりの機器の状態及び温度の監視・鉄塔又は変電所の変圧器まわりの状況のカメラ監視の為のこれら監視装置を電力線から非接触的に給電を受けて電池レスで遠隔監視を可能にする技術に関する。
【背景技術】
【０００２】
交流送電鉄塔又は変電所でその送電電流及び線路の接続部の温度を監視する電力線まわりの監視装置で、しかもこれに使用する直流電力を交流送電線から非接触的に得るようにして電池レス（電池交換作業を不要にした）で可能にした装置を本出願人は開発した。この技術は、特許文献１として公知である。
【０００３】
しかしながら、送電線は高い鉄塔・高い位置にあって、高電圧によるコロナ放電で装置回路の誤動作が発生し、又大電流（サージ電流・過電流・短絡事故時に発生）による電磁誘導作用によって周辺の電気機器の故障を誘発させていた。更に、塩害・温度差による繰り返し疲労劣化・紫外線劣化・鳥虫害の被害を受けている。使用する誘導コイルを絶縁テープで巻いて又は防水性絶縁フィルムで被覆するだけでは上記問題の解消するには耐候性が不充分であり、使用寿命は短いものであった。
【先行技術文献】
【特許文献】
【０００４】
【特許文献１】特開２００８−３１１３２３号公報
【発明の概要】
【発明が解決しようとする課題】
【０００５】
本発明が解決しようとする課題は、従来の問題点を解消し、大電流による電気機器の故障を少なくでき、又塩害・鳥虫害の被害がなく、紫外線劣化を少なく、高い耐候性もある安定した電池レスの電力線の線路監視装置を提供することにある。
及び、耐候性が高い金属製の密閉型ケーシング内に誘導コイルを封入しても、密閉型ケーシングが内部のコアの閉ループを形成して誘導コイルの起電圧発生の性能及び線路の電流値の計測の精度が低くならないようにすることにある。更には、コロナ放電を少なく、落雷による破損を少なくすることにある。
【課題を解決するための手段】
【０００６】
かかる課題を解決した本発明の構成は、
１）  透磁性があり且つ良導電性の金属によって製作された断面Ｕ字状の環状金属筐体の内部に環状コアにコイルを巻回した起電圧発生用誘導コイルを配装し、同金属筐体の前記開口の口縁に電気絶縁体を介して良電導性金属製蓋体を嵌着して密閉型の耐候性誘導コイル収納器を形成し、同耐候性誘導コイル収納器の中央開口空間に交流電力の送電線の線路を貫通させ、前記耐候性誘導コイル収納器内に又はそれに良導電性の金属取付板で連接された別体の密閉金属容器内に子機半導体回路を封入し、同子機半導体回路として前記起電圧発生用誘導コイルに発生する電圧を整流して所要電圧の直流電力を生成する直流電源部と、前記直流電源部の直流電圧を使用して送電線まわりの機器の状態を監視するセンサー回路あるいはカメラ装置の電気信号を処理するカメラ制御画像処理回路の監視回路と、前記直流電源部又は監視回路の制御信号及びそれらからの情報を電波でこれらを管理する親機又は同親機と電波中継する電波中継装置と送受信する電波通信部とを内蔵した、電力線の線路監視装置
２）  前記環状コアにコイルを巻回した前記送電線の線路の電流を検出できる電流検出用誘導コイルを前記起電圧発生用誘導コイルとは別に設け、前記環状コアに前記起電圧発生用誘導コイル及び電流検出用誘導コイルとを巻回した状態で断面Ｕ字状の前記環状金属筐体内に配装するとともに、電流検出用誘導コイルに流れる電流値を検出して、その出力から送電線の線路に流れる電流値を算出する電流計測回路を子機半導体回路の監視回路の一つとして設けた、前記１）記載の電力線の線路監視装置
３）  前記直流電源部で出力した直流電圧に過電圧保護回路を設け、過大な直流電圧を子機半導体回路に印加しないようにした、前記１）又は２）記載の電力線の線路監視装置
４）  交流電力の送電線の碍子先端部に設けられた送電線の線路の大気に露出した接続電極板に、導電性金属を用いて前記耐候性誘導コイル収納器及び子機半導体回路を封入した前記密閉金属容器とを連結支持した、前記１）〜３）いずれか記載の電力線の線路監視装置
５）  前記センサー回路として、交流電力の送電線の前記接続電極板の温度を計測する温度センサー回路を有する、前記４）記載の電力線の線路監視装置
６）  前記電波通信部のアンテナが前記密閉金属容器の外側から地表に向けて延びたアンテナである、前記１）〜５）いずれか記載の電力線の線路監視装置
７）  前記金属筐体及び蓋体の外形状が角のない丸味を帯びた外形状としてコロナ放電を少なくした、前記１）〜６）いずれか記載の電力線の線路監視装置
８）  密閉金属容器内の子機半導体回路が、密閉金属容器内に設けたポリカーボネート製筐体の内部に配置されたものである、前記１）〜７）いずれか記載の電力線の線路監視装置
９）  前記１）〜８）いずれか記載の電力線の線路監視装置を、三相高圧電力線の変電所の開閉器の線路に複数取付け、前記線路監視装置の各電波通信部と電波で双方向通信できる親機を変電所内に設けた、変圧所内の線路監視設備
にある。
【発明の効果】
【０００７】
本発明では、透磁性があり良電性の金属製の金属筐体内に起電圧発生用誘導コイルを封入し、同じく良電性の金属製の蓋体を電気絶縁体を介在して連結したことにより金属筐体と蓋体とをその開口縁で直接導通せず、金属製筐体と蓋体とによる閉ループが内部のコアに対して形成しないようにした。これによって、交流電力線から起電圧発生用又は電流検出用誘導コイルは安定した電圧を得るようにした。更に、同金属筐体に良電導体金属で連結して取付けた良電性の金属製の密閉金属容器内に子機半導体回路の直流電源部、電流計測回路、センサー回路又はカメラ制御画像処理回路の監視回路、電気通信部等回路を封入しているので、半導体回路の誤動作を少なくし、耐候性が高く、塩害・雨水・風・鳥虫の被害及び紫外線劣化を防ぎ、耐久性を高くしている。又、送電線とは直接的に電気接続がないので大電流による誤動作・障害を少なくしている。更に、金属製筐体と蓋体とが間接的には導通して密閉されて同電位となっているので、雷及び電界の勾配に対しても耐性がある。半導体回路を密閉金属容器内でポリカーボネート製筐体に収納すれば、更に電界勾配の影響を少なくできる。
【０００８】
しかも、本発明の回路に必要な直流電力は起電圧発生用誘導コイルが送電線の交流電流から電圧を発生させて、これを整流して子機半導体回路の為の直流電力を確保しているので、常時電池レスで作動できる。よって、電池の点検・定期的な交換作業も不要となって常時監視が行え、長寿命の使用に耐えるものとなる。
【０００９】
又、前記コアに線路の電流を検出する電流コイルの電流検出用誘導コイルを巻回し、同電流コイルの電流を検出回路で検出して電流計測回路に入力して線路電流の電流値を常時監視できるようにすれば、電力線の線路電流値の管理・電流制御管理を行え易くする。
【００１０】
又、直流電源部に過電圧保護回路を設けた発明では、何らかの原因で起電圧発生用誘導コイルから過大な電圧が入力されても過電圧保護回路によって高い直流電圧が出力されないようにして、子機半導体回路を過電圧による故障・障害の発生から防いでいる。
又、送電線の碍子先端の線路の露出した接続電極板はジュール熱で温度が高くなりがちであるが、温度センサーでその温度を感知できるようにすればその接続電極板の温度を常時監視可能にできる。
【００１１】
更に、前記接続電極板に導電性の金属でもって良電導性金属の金属筐体と蓋体及び金属密閉容器を連結しているので、接続電極板の熱はこれら筐体・蓋体・金属密閉容器に伝熱して大気に放熱し、接続電極板が極端に高温状態になるのを防いでいる。又、雷に対しても安全にしている。
又、金属筐体及び蓋体の外形状のコーナー部分に丸味を与えれば、コロナ放電も少なくしている。
【図面の簡単な説明】
【００１２】
【図１】図１は本発明の実施例の電力線の線路監視装置の誘導コイル収納器の金属筐体を示す正面図である。
【図２】図２は実施例の誘導コイル収納部の蓋体を示す一部切欠正面図である。
【図３】図３は図１のＡ−Ａ線断面図である。
【図４】図４は実施例の誘導コイル収納器の一部切欠側面図である。
【図５】図５は実施例の誘導コイル収納器と子機半導体回路の密閉金属容器の取付状態を示す平面図である。
【図６】図６は実施例の直流電源部を示す回路図である。
【図７】図７は実施例の過電圧保護回路による回路温度特性を示す特性図である。
【図８】図８は密閉金属容器内の子機半導体回路のブロック図である。
【図９】図９は実施例の電力線の線路電極板への取付状態を示す説明図である。
【図１０】図１０は実施例の電力線の線路監視装置の変電所の碍子上端の線路に取付状態を示す説明図である。
【発明を実施するための形態】
【００１３】
本発明の透磁性があり且つ良導電性の耐候性ある金属筐体及び蓋体の素材としては、アルミ合金が好ましい。
【００１４】
又、子機半導体回路を収納する密閉金属容器の素材としては、軽量なアルミ合金が好ましい。
【００１５】
又、誘導コイル収納器の金属筐体内に絶縁されたコイル線の誘導コイルを挿入するときには、金属筐体と直接接触しないように誘導コイルを束ねるゴム弾性体の結束の結束帯を介して挿入することが好ましい。
【００１６】
密閉金属容器内の子機半導体回路は高温に耐えられる半導体を使用する。密閉金属容器内の温度が１００℃でも一定時間作動できる回路とするのが好ましい。
【００１７】
更に、誘導コイルに過大な電流の負荷があっても直流電源部及び他の子機半導体回路が故障しないようにする過電圧保護回路を設けることが好ましい。この過電圧保護回路としてＦＥＴを使用して大電流を熱に変換するのがよい。
【００１８】
又、鉄塔の電力線の線路に本発明の電力線の線路監視装置を取付ける場合、子機半導体回路の電波通信部は同じ鉄塔の場所に配置した複数の子機の情報・制御・電波通信を集めて行う親機又は鉄塔から少し離れた親機又は電波中継装置又は電波送受信局あるいは近接する監視者が保持している親機と通信するようにしてもよい。あるいは、近接した別の鉄塔の他の電力線の監視装置の子機へ電波で発信元の鉄塔線路ＩＤを付した監視情報又は制御信号で送り、これを受けた電力線の監視装置が更に近くの鉄塔の電力線の監視装置へ情報・制御信号を電波で送信し、鉄塔の子機又は親機をネット化して所定の場所又は集中管理設備・親機へ複数の鉄塔線路の情報・制御信号を送信できるようにしてもよい。
【００１９】
これとは別に、一つの鉄塔に一台の親機を設置、親機は高い出力の電波で遠隔地の集中監視設備へ直接鉄塔に設けた複数の電力線の線路監視装置の監視情報・制御信号をそれらにＩＤを付して送受信できるようにすることもできる。
【実施例】
【００２０】
以下、本発明の実施例を図面に基づいて説明する。本実施例は、高電圧７５ＫＶの変電所の三相交流電線の各相の電路に２，０００Ａ以上の電流が流れても計測可能であり、又複数の子機の情報・制御を電波で双方向通信行う親機を変電所内に設置、各線路の電流と線路接続部の温度の監視を変電所内又はその情報を集中管理する管理局で行えるようにした。
【００２１】
（実施例の符号の説明）
Ｇは本発明の実施例の電力線の線路監視装置、Ｌは７５ＫＶの高圧の三相交流の送電線の線路、ＩＮＳは同線路の接続部を空中で保持する碍子、Ｆは変電所の建物室内に配置された親機で、複数の子機とのデータ・制御の通信を行い、コンピュータを用いてデータの記憶・データの経時変化・データの分析・警報を行う親機、Ｙは実施例の電力線の線路監視装置Ｇの耐候性誘導コイル収納器、１は同誘導コイル収納器Ｙの透磁性で良導電性のアルミ合金を使用した断面Ｕ字状の環状の金属筐体、１１は同金属筐体１の内部の誘導コイル設置空間、１２は金属筐体の中央の開口空間、１３は誘導コイル設置空間１１の内側底面が拡巾した取付面、１４は同取付面に設けた３個の連結ボルト１７の貫通孔、１５は取付面１３と反対側に設けた駒部材１５ａに穿孔した連結ボルト貫通孔、１６は誘導コイル２の電圧コイル２ａ及び電流コイル２ｂの出力線用孔、１７は良電導性の連結ボルトである。２は誘導コイルで、２ａは起電圧発生用誘導コイル（電圧コイル）であり、２ｂは電流検出用誘導コイル（電流コイル）である。２１はその中心部にある環状の磁性体のコア、２２は同コアに絶縁テープで被覆された誘導コイルの電圧コイル２ａと電流コイル２ｂのコイル線、２３は誘導コイル２を結束して金属筐体１との直接接触しないように弾支する図中点線で表示された結束ゴム帯、２４は誘導コイル２の電圧コイル２ａと電流コイル２ｂの出力線である。３はアルミ合金製の蓋体、３１は同蓋体の内側全面に付着した電気絶縁性のゴム層、３２は同蓋体に設けた連結ボルト取付用孔、３３は蓋体３の外周を丸味加工してコロナが発生しないようにした湾曲コーナー部である。４は金属筐体１の取付面１３の外側に連結ボルト１７で取付けられるＬ字状良導電性の金属取付板、４１はその連結用ボルト孔である。４２は金属取付板４の折曲されて先端が拡巾した鉛直な長方形状の取付面、４３は同取付面に連結されるＬ字状の導電性の線路取付板で、金属取付板４の取付面４２とボルト４４で連結されている。４５はボルト４４のナットと線路取付板４３との間に設けたアルミ製スペーサー、４６はＬ字状の線路取付板４３の金属取付板４の取付面４２に対し直角に立設した水平の接続電極板で、三相交流の一つの相の碍子ＩＮＳ上端（図示せず）に取付けられている水平の接続電極板４６でこれとボルト４４で連結されて実施例の電力線の線路監視装置Ｇ全体を固定支持している。前記アルミ製のスペーサー４５の温度及びこれと熱的に接続されている線路取付板４３を介して線路の接続部の温度を計測するため、温度センサー６４ａがスペーサー４５の孔に埋設している。５は子機半導体回路６を磁気シールドする耐久性と耐候性ある密閉金属容器で、金属取付板４に強固に取付けられている。５１は密閉金属容器５を金属取付板４の取付面４２に連結する連結ボルト、５２は密閉金属容器５と金属取付板４の取付面４２との間に設けたアルミ製スペーサーで、連結ボルト５１を貫通させている。６は同密閉金属容器５内のポリカーボネートを使用したプラスチック容器６１内に取付けられた子機半導体回路、６２はその直流電源部、６２ａはＦＥＴを用いた過電圧保護回路、６３は誘導コイル２の電流コイル２ｂの電流値をオペアンプで増巾してその出力を入力して線路Ｌの電流値を算出する電力線の線路Ｌの電流計測回路、６４は変電所の開閉器近くの電力線の線路Ｌの接続部の温度を計測する温度センサー６４ａの温度センサー回路、６５はＣＰＵを用いた各種回路の情報と制御の処理を行う制御情報処理ミニコン、６６は線路周辺を撮影するカメラ６６ａの制御を行うカメラ監視回路、６７は各回路の情報及び制御信号を親機Ｆと通信する電波通信部、６７ａはその電波のアンテナで、地表方向に向けて落雷を避けるようにしている。６８は誘導コイル２の電圧コイル２ａと電流コイル２ｂの出力線２４を前記直流電源部６２又は電流計測回路６３とを接続するコネクター、６９はセンサー６４ａとセンサー回路６４とを接続するコネクターである。Ｆは変電所に設置され電力線の三相線路毎に取付けた複数の実施例の電力線の線路監視装置Ｇの電波通信部６７と双方向通信で情報伝達と制御信号を送り出す変電所内に設けた親機であって、コンピュータを用いて各電力線の線路監視装置Ｇのセンサー，画像，電流値，温度値等データを記憶して且つ経時的に記憶してその経過が分るようにし、又異常の状態を検出できて警報できるシステムとなっている。
【００２２】
（実施例の動作説明）
この実施例は、図９，１０に示すように高圧７５ＫＶの三相の交流電力線の各相の線路Ｌを実施例の環状をした耐候性誘導コイル収納器Ｙの中央の開口空間１２を貫通するように配線している。又、実施例の電力線の線路監視装置Ｇは、線路Ｌを保持している碍子ＩＮＳの先端に固定されている接続電極板４６に実施例のＬ字状の線路取付板４３を複数のボルト４４で連結し、同線路取付板４３はＬ字状の金属取付板４とボルト４４で連結されて、更に同Ｌ字状金属板４には耐候性誘導コイル収納器Ｙが取付けられている。同耐候性誘導コイル収納器Ｙ内の誘導コイル２の出力線２４は、同じ金属取付板４の取付面４２でＬ字状の線路取付板４３の接続電極板４６と反対面に連結ボルト５１で取付けられた密閉金属容器５内の半導体回路６と接続されている。
【００２３】
この線路監視装置Ｇを７５ＫＶの三相の各線路Ｌに取付けて線路Ｌに交流電力が流れれば、耐候性誘導コイル収納器Ｙ内の起電圧発生用誘導コイル２（電圧コイル２ａ）には線路Ｌの交番電流によって交流の磁場が発生し、磁性体のコア２１を有する起電圧発生用誘導コイル２（電圧コイル２ａ）には交流の起電圧が発生する。この場合、アルミ合金の金属筐体１の口縁と蓋体３の口縁とは電気絶縁体のゴム層３１が間にあるため電気的に直接導通していず、この金属筐体１と蓋体３が閉ループを形成せず、金属筐体１内のコア２１内の磁束が金属筐体１と蓋体３に影響受けず、線路Ｌの交流電流に応じて交流磁束が発生し、その電圧コイル２ａのコイル線２２の誘導コイル２には起電圧は発生する。
【００２４】
このように、起電圧発生用及び電流検出用の誘導コイル２を耐候性誘導コイル収納器Ｙに封入したことで、金属筐体１とゴム層３１と蓋体３とによって雨水・虫・鳥・紫外線の影響を受けず、耐久性があるものとしながら、線路Ｌの高圧の交流電流から誘導コイル２に起電圧を発生して直流電源部６２で５Ｖ程の直流電圧の電力源として使用し、電池レスで作動し、電池交換の必要性もほとんどなく常時且つ長寿命で監視できるようにできた。
【００２５】
誘導コイル２の起電圧・電流は出力線２４を介して密閉金属容器５の中の更にプラスチック容器６１内の半導体回路６の直流電源部６２と電流計測回路６３へ入力される。
この直流電源部６２は図６の回路のもので、誘導コイル２の出力電圧は整流回路で直流に変換され、更にＦＥＴを用いた過電圧保護回路６２ａによって安定した５Ｖで一定電圧を安定出力できるようにした。又、線路Ｌの線路電流２，０００Ａの連続通電の過電流にも耐えた。過電圧保護回路６２ａのＦＥＴの温度上昇値ｄＴｆ＝３０℃であった。この線路電流Ｉ１（Ｌ）と出力電圧とＦＥＴの温度上昇値ｄＴｆの関係を図７の動作特性図で示している。これによって、線路電流Ｉ１が１，０００Ａ以上連続して流れたときに過電圧保護回路６２ａと子機半導体回路６が故障しないことが確かめられた。
【００２６】
又、密閉金属容器５内でポリカーボネート製のプラスチック容器６１内に半導体回路６が封入されたことで、同回路及び使用しているＣＰＵに短絡大電流の強磁界により電子回路の閉ループ内に誘導電圧や電流により故障しないようにした。又、電界の勾配を少なくでき、その影響を防いでいる。
【００２７】
半導体回路６の直流電源部６２で５Ｖ直流を供給し、電流計測回路６３は誘導コイル２の電流コイル２ｂで発生する電流の値を検出して増巾して入力し、その入力値に応じて線路Ｉ１の電流値を算出し、出力できるようにしている。又、センサー回路６４は線路取付板４３とボルト４４で圧着しているアルミのスペーサー４５に埋め込んだ温度センサー６４ａの温度情報を得て、線路（盤）に発生する温度を接続電極板４６・スペーサー４５と伝熱して温度センサー６４ａによって感知され、線路の接続部分の温度として計測される。
又、この密閉金属容器５には所要の線路外の観察すべき部分（鳥の巣・強風による線路・電力線の破断・曲がり等）を撮影できるカメラ６６ａが設けられ、線路周辺の状態を画像として出力できるようになっている。
【００２８】
これらの半導体回路６の直流電圧値、線路電流値、線路接続部の温度値、カメラ画像の出力された情報は制御情報処理ミニコン６５に入力され、必要情報を電波通信部６７へ出力され、親機Ｆに向けて電波で送信できるようになっている。電波通信部６７のアンテナ６７ａは下向きとなっているので雷を回避でき、又金属筐体１及び蓋体３の外周には角部をなくし、丸味（湾曲）を与えることでコロナ放電を少なくしている。又、親機Ｆからの制御信号・情報出力の制御信号も受けて半導体回路６をその制御信号に応じて作動するようにしている。
【００２９】
この実施例では、電波として４２９ＭＨｚの特定小電力無線の周波数を使用し、その電波は通信距離見通し２００ｍ〜３００ｍ可能とし、変圧所内の１００ｍでは充分な電波による双方向通信を可能としている。従って、送電線鉄塔でも遠隔から情報を得ることができるものとなっている。
子機は複数台設けることができ、親機Ｆは１ｓｅｃ／１子機程のポーリング方式で各子機（線路監視装置）から線路に関する上記情報を入手して記憶保存し、異常がないかのソフト検査したり、異常があれば警報してその異常個所の表示と異常状態を表示できるようにできる。
【００３０】
以上のように、本実施例では厳しい電力環境（高電圧環境・コロナ放電による材質劣化・電子回路の誤動作を防ぎ、又サージ電流・過電流・短絡事故時の過大電流）に耐え、更に塩害・ヒートサイクル劣化・紫外線劣化・鳥虫害被害を効果的に保護できるものとして、長寿命で電池レス作動を可能とした。
【産業上の利用可能性】
【００３１】
本発明は、高圧電流の送電鉄塔、変電所以外の地下空間等の場所における線路の監視を電池レス（電池の交換不要）で行え、又その監視も線路電流以外の絶縁物の漏洩電流・接地電流・構造物の歪・応力値計測もでき、又カメラを取付けることで線路周辺のカメラ観察を可能とし、又航空障害灯の点灯等にも応用できる。
【符号の説明】
【００３２】
Ｇ    実施例の電力線の線路監視装置
Ｆ    親機
Ｌ    線路
ＩＮＳ    碍子
Ｙ    耐候性誘導コイル収納器
１    金属筐体
１１    誘導コイル設置空間
１２    開口空間
１３    取付面
１４    貫通孔
１５    連結ボルト貫通孔
１５ａ    駒部材
１６    出力線用孔
１７    連結ボルト
２    誘導コイル
２ａ    電圧コイル（起電圧発生用誘導コイル）
２ｂ    電流コイル（電流検出用誘導コイル）
２１    コア
２２    コイル線
２３    結束ゴム帯
２４    出力線
３    蓋体
３１    ゴム層
３２    孔
３３    湾曲コーナー部
４    金属取付板
４１    ボルト孔
４２    取付面
４３    線路取付板
４４    ボルト
４５    スペーサー
４６    接続電極板
５    密閉金属容器
５１    連結ボルト
５２    スペーサー
６    半導体回路
６１    プラスチック容器
６２    直流電源部
６２ａ    過電圧保護回路
６３    電流計測回路
６３ａ    電流検出回路
６４    温度センサー回路
６４ａ    温度センサー
６５    制御情報処理ミニコン
６６    カメラ監視回路
６６ａ    カメラ
６７    電波通信部
６７ａ    アンテナ
６８，６９    コネクター
【図１】
2017220983.tif 000003
【図２】
2017220983.tif 000004
【図３】
2017220983.tif 000005
【図４】
2017220983.tif 000006
【図５】
2017220983.tif 000007
【図６】
2017220983.tif 000008
【図７】
2017220983.tif 000009
【図８】
2017220983.tif 000010
【図９】
2017220983.tif 000011
【図１０】
2017220983.tif 000012